【事件の表示】
　特願２０００−６０７５９８「コンディショニングシャンプー組成物」拒絶査定不服審判事件〔平成１２年１０月　５日国際公開、ＷＯ００／５７８４７、平成１４年１１月２６日国内公表、特表２００２−５４０１３３〕について、次のとおり審決する。
【結　論】
　本件審判の請求は、成り立たない。
【理　由】
１．手続の経緯
　本願は、平成１１年８月２０日（パリ条約による優先権主張外国庁受理　１９９８年８月２０日，米国）を国際出願日とする出願であって、平成１８年８月１１日付けで手続補正書が提出され、拒絶理由通知に応答し平成２０年９月２４日付けで手続補正書と意見書が提出され、再度の拒絶理由通知に応答し平成２１年６月１日付けで手続補正書と意見書が提出されたが、平成２１年６月１９日付けで拒絶査定がなされ、これに対し、平成２１年１０月２１日に拒絶査定不服審判が請求され、平成２１年１２月２１日付けで請求理由の手続補正書（方式）が提出されたものであり、その後、当審からの拒絶理由通知に応答し平成２５年１月４日付けで手続補正書と意見書が提出されたものである。
　
２．本願発明
　本願請求項１〜１２に係る発明は、平成２５年１月４日付け手続補正書の特許請求の範囲の請求項１〜１２に記載された事項により特定されたとおりのものと認められ、そのうち請求項１に係る発明（以下、「本願発明」ともいう。）は、次のとおりである。
　「【請求項１】　（ａ）陰イオン性界面活性剤および両性界面活性剤から成る群から選択される、５重量％から５０重量％までの界面活性剤成分；
（ｂ）０．０５重量％から１０重量％までの分散された水不溶性非イオン性シリコーンヘアコンディショニング剤；
（ｃ）０．０５重量％から１０重量％までの水溶性有機両性高分子ヘアコンディショニング剤；および
（ｄ）水性担体
を包含し、
　（ａ）の前記陰イオン性界面活性剤が、ラウリルスルフェート、ラウリルエーテルスルフェート、オレフィンスルホネート、ならびにそれらのアンモニウム、ナトリウムおよびアミン塩から成る群から選択され、
　前記両性高分子ヘアコンディショニング剤が、（Ａ）１モル％から９９モル％までのメタクリルアミドプロピルトリメチルアンモニウムクロリド、（Ｂ）１モル％から９９モル％までのアクリル酸、および、（Ｃ）１モル％から４０モル％までの（メタ）アクリル酸エステルから構成され、前記両性高分子ヘアコンディショニング剤中の（Ａ）：（Ｂ）のモル比が、２５：７５から７５：２５までの範囲にあり、そして、
　前記両性高分子ヘアコンディショニング剤が、シャンプー組成物中に複合体コアセルベート形態で存在するか、または水でシャンプー組成物を希釈すると複合体コアセルベート形態を形成することを特徴とするヘアコンディショニングシャンプー組成物。」
　
３．引用例
　当審の拒絶理由に引用された本願優先権主張日前に頒布された刊行物である、発明協会公開技法９７−５７３９号（発行日１９９７年６月１６日、以下、「引用例１」という。）と、特表平７−５００６０９号公報（以下、「引用例２」という。）、特表平８−５１２０５１号公報（以下、「引用例３」という。）には、次の技術事項が記載されている。なお、下線は当審で付した。
　
［引用例１］
　（1-i）「［目的］
本技術は
アクリル酸・塩化メタクリルプロピルトリメチルアンモニウム・メチルアクリレート共重合体［Ａ］（INCI名Polyquaternium−４７）
シャンプーにアクリル酸・塩化メタクリルプロピルトリメチルアンモニウム・メチルアクリレート共重合体を配合することによりシャンプーの
泡立ちの改善及び泡の安定化、洗髪時及びシャンプーを洗い流した後の毛髪のすべり感の向上及び櫛通し性の向上、乾燥後の毛髪の櫛通し性の改善及びつやの向上
アクリル酸・塩化メタクリルプロピルトリメチルアンモニウム・メチルアクリレート共重合体の配合されたヘアコンディショナーを毛髪に適用することにより、毛髪の櫛通し性の改善及びつやの向上が得られる。また毛髪表面に形成されるコンディショニングポリマー皮膜によって毛髪の汚染や損傷が軽減される。
　」（第１頁左欄１行〜末行参照）
　（1-ii）「［構成］
シャンプーは、アクリル酸・塩化メタクリルプロピルトリメチルアンモニウム・メチルアクリレート共重合体及び通常シャンプーの原料として使用され得るアニオン性界面活性剤、両性界面活性剤、非イオン性界面活性剤、陽イオン界面活性剤、シリコーン及びシリコーン誘導体、防腐剤、精製水及び香料などにより構成される。アクリル酸・塩化メタクリルプロピルトリメチルアンモニウム・メチルアクリレート共重合体と他のコンディショニングポリマーも併用されることがある。
ヘアコンディショナーは、アクリル酸・塩化メタクリルプロピルトリメチルアンモニウム・メチルアクリレート共重合体及び通常ヘアコンディショナーに使用され得るアニオン性界面活性剤、両性界面活性剤、非イオン性界面活性剤、陽イオン界面活性剤、シリコーン及びシリコーン誘導体、防腐剤、精製水及び香料などにより構成される。アクリル酸・塩化メタクリルプロピルトリメチルアンモニウム・メチルアクリレート共重合体と他のコンディショニングポリマーも併用されることがある。」（第１頁右欄１〜１９行参照）
　（1-iii）「以下に、実施例を示す。
１．コンディショニングシャンプー
原料名　　　　　　　　　　　　　　　　　　　　　　　　配合料（％）
１）脂肪酸カリ石鹸　　　　　　　　　　　　　　　　　　10.0〜5.0
２）カルボキシル化ポリオキシエチレンアルキルエーテル
　　　ナトリウム　　　　　　　　　　　　　　　　　　　 5.0〜10.0
３）アルキルリン酸ナトリウム　　　　　　　　　　　　　 3.0〜5.0
４）ヤシ油脂肪酸アミドプロピルベタイン　　　　　　　　 5.0〜3.0
５）ヤシ油脂肪酸加水分解コラーゲンカリウム　　　　　　 2.0
６）ジステアリン酸エチレングリコール　　　　　　　　　 2.5
７）ポリオキシエチレンエピクロルヒドリン
　　　ヤシ油アルキルアミンジプロピレントリアミン縮合物　0.01〜5.0
８）Ｎ−メタクロイルオキシエチルＮ，Ｎジメチルアンモ
　　　ニウムα-Ｎ-メチルカルボキシベタインメタクリル酸
　　　アルキルエステル共重合体液　　　　　　　　　　　 0.01〜5.0
９）アクリル酸・塩化メタクリルプロピルトリメチル
　　　アンモニウム・メチルアクリレート共重合体　　　　 0.01〜5.0
１０）環状シリコーンオイル　　　　　　　　　　　　　　 1.0
１１）メチルフェニルシリコーンオイル　　　　　　　　　 1.0
１２）エデト酸２ナトリウム　　　　　　　　　　　　　　 0.3
１３）クエン酸又は水酸化ナトリウム　　　　　　　　　　 適量
１４）精製水を加えて100.0とする。
　
２．低刺激シャンプー　
原料名　　　　　　　　　　　　　　　　　　　　　　　　配合料（％）
１）ポリオキシエチレンアルキルスルホコハク酸ナトリウム 10.0〜5.0
２）ヤシ油脂肪酸メチルタウリンナトリウム　　　　　　　　5.0〜10.0
３）アルファオレフィンスルフォン酸ナトリウム　　　　　　5.0〜3.0
４）ヤシ油脂肪酸アミドプロピルベタイン　　　　　　　　　3.0〜5.0
５）２-アルキル-Ｎ-カルボキシメチル-Ｎ-ヒドロキシエチル
　　　イミダゾリニウムベタイン　　　　　　　　　　　　　2.0
６）ヤシ油脂肪酸ジエタノールアミド　　　　　　　　　　　3.0
７）ジステアリン酸エチレングリコール　　　　　　　　　　2.5
８）塩化ヒドロキシエチルセルロースジメチルジメチル
　　　ジアリルアンモニウム　　　　　　　　　　　　　　　0.01〜5.0
９）塩化ｏ-［２-ヒドロキシ-３-（トリメチルアンモニウム
　　　プロピル］グアガム　　　　　　　　　　　　　　　　0.01〜5.0
１０）アクリル酸・塩化メタクリルプロピルトリメチル
　　　　アンモニウム・メチルアクリレート共重合体　　　　0.01〜5.0
１１）ジメチルシリコーンエマルジョン　　　　　　　　　　1.0
１２）ポリエーテル変性シリコーンオイル　　　　　　　　　1.0
１３）クエン酸　　　　　　　　　　　　　　　　　　　　　適量
１４）精製水を加えて100.0とする。
　
３．リンスインシャンプー
原料名　　　　　　　　　　　　　　　　　　　　　　　　配合料（％）
１）ポリオキシエチレンアルキルエーテル硫酸ナトリウム　10.0〜5.0
２）アルキル硫酸アンモニウム　　　　　　　　　　 　　　5.0〜10.0
３）Ｎ-アルキル-Ｌ-グルタミン酸トリエタノールアミン 　 5.0〜3.0
４）ラウリルジメチルアミノ酢酸ベタイン　　　　　　 　　3.0〜5.0
５）ラウリルアミノプロピオン酸ナトリウム　　　　　 　　2.0
６）ポリオキシエチレンヤシ油脂肪酸モノエタノールアミド 3.0
７）ラウリルジメチルアミンオキシド　　　　　　　　 　　2.0
８）ジステアリン酸エチレングリコール　　　　　　　 　　2.5
９）ポリビニルピロリドン・ジメチルアミノエチル・
　　　メタクリレート共重合体硫酸エチル四級化物　　 　　0.01〜5.0
１０）ヒドロキシエチルセルロース-２-ヒドロキシプロ
　　　　ピルメチルアンモニウムクロリドエーテル  　　　 　0.01〜5.0
１１）アクリル酸・塩化メタクリルプロピルトリメチル
　　　　アンモニウム・メチルアクリレート共重合体　　　 0.01〜5.0
１２）ジメチルシリコーンエマルジョン　　　　　　　　　 1.0
１３）アモジメチコンエマルジョン　　　　　　　　　　　 1.0
１４）クエン酸又は水酸化ナトリウム　　　　　　　　　　 適量
１５）精製水を加えて100.0とする。
」（第１頁右欄２０行〜第２頁右欄１１行参照）
　
［引用例２］
　（2-i）「１．　（ａ）組成物のｐＨでアニオン性である
アニオン系界面活性剤及び両性界面活性剤からなる群より選択されるアニオン系界面活性剤成分
　（ｂ）
分散不溶性非揮発性
シリコーンヘアコンディショニング剤
　（ｃ）０．９〜４ｍｅｑ／ｇの正電荷密度を有する
水溶性有機カチオン系ポリマーヘアコンディショニング剤
　（ｄ）炭化水素油、少くとも１０の炭素原子を有する脂肪エステル及びそれらの混合物からなる群より選択される有機非揮発性非水溶性液体０．０５〜５重量％；及び
　（ｅ）
水性キャリア
を含む
ヘアコンディショニングシャンプー組成物
２．　・・・省略・・・
３．　・・・省略・・・
４．　カチオン系ポリマーが組成物で
複合コアセルベート相
水によるシャンプーの希釈時に複合コアセルベートを形成する
５．　・・・省略・・・
６．　・・・省略・・・
７．　
シリコーンヘアコンディショニング剤がポリジメチルシロキサン
　（2-ii）「コアセルベート形成は相互作用イオン物質の分子量、濃度及び比率、カチオン及びアニオン種のイオン強度（例えば塩の添加によるイオン強度の調節を含む）、電荷密度、ＰＨ及び温度のような様々な基準に依存する。コアセルベート系及びこれらパラメーターの効果は既に研究されている。例えば、J.Caellesら，'Anionic and Cationic Compounds in Mixed Systems' (混合系のアニオン及びカチオン系化合物),Cosmetics  Toiletries,Vol.106,April 1991,pp.49-54、C.J.van Oss, 'Coacervation,Complex-Coacervation and Flocculation' (コアセルベーション、複合コアセルベーション及び凝集),J.Dispersion Science and Technology,Vol.9(5,6),1988-89,pp.561-573及びD.J.Burgess, 'Practical Analysis of Complex Coacervate Systems' (複合コアセルベート系の実用的分析),J.of Colloid and Interface Science,Vol.140,No.1,November 1990,pp.227-238参照。
　
カチオン系ポリマーがシャンプー中でコアセルベート相として存在するかあるいはシャンプーをヘアに適用するか又はそれから洗い落とすとコアセルベート相を形成することが特に有利であると考えられる
複合コアセルベートは更に容易にヘア上に沈着すると考えられる
　複合コアセルベートの形成の分析に関する技術は当業界で公知である。例えば、シャンプー組成物の顕微鏡分析はいかなる選択された希釈段階においてもコアセルベート相が形成されたかどうかについて確認するために利用できる。このようなコアセルベート相は組成物中で追加乳化相として確認しうる。色素の使用は組成物中に分散された他の不溶性相からコアセルベート相を区別する上で役立つ。
　例示複合コアセルベートシャンプー組成物は例で示されている。
多くの他のカチオン系ポリマーも、シャンプー組成物の他のパラメーターに依存して、当業者により理解されるようにコアセルベートを形成することができる
　シリコーン及びコンディショニング油性液体（下記のような）を含有する組成物において、前記範囲内で十分に高い正電荷密度を有するカチオン系ポリマーコンディショニング剤は高いコンディショニング性能及びコアセルベート形成を示せることがわかった。」（第１２頁左下欄１３行〜第１３頁左上欄１２行参照）
　
［引用例３］
　（3-i）「１．　（ａ）アニオン系、ノニオン系、両性及び双極性界面活性剤からなる群より選択される洗浄界面活性剤又はその混合物；
  （ｂ）水溶性カチオン系コンディショニング剤及び不溶性シリコーンコンディショニング剤からなる群より選択される非揮発性ヘアコンディショニング剤；
  （ｃ）水２０〜９９．５重量％；
を含み、更に遊離イオン形で０．００４〜０．０８Ｍの多価金属カチオンを含んでいることを特徴とする、ヘアコンディショニングシャンプー組成物。
　２．　・・・省略・・・
　３．　・・・省略・・・
　４．　組成物が不溶性シリコーンコンディショニング剤又は不溶性シリコーンコンディショニング剤の混合物を含んでいる、請求項１、２又は３に記載のヘアコンディショニングシャンプー組成物。」（【特許請求の範囲】の１、４参照）
　（3-ii）「前記のように、本発明のカチオン系ポリマーは水溶性である。しかしながら、これはシャンプー組成物に可溶性でなければならないことを意味しない。しかしながら、好ましくは、カチオン系ポリマーはシャンプー組成物か、又はカチオン系ポリマー及びアニオン系物質により形成されるシャンプー組成物中の
コアセルベート相
カチオン系ポリマーのコアセルベートは、場合により本組成物に添加できるアニオン系界面活性剤又はアニオン系ポリマー（例えば、ナトリウムポリスチレンスルホネート）と形成することができる
　コアセルベート形成は、相互作用イオン物質の分子量、濃度及び比率、カチオン及びアニオン種のイオン強度（例えば塩の添加によるイオン強度の調節を含む）、電荷密度、ＰＨ及び温度のような様々な基準に依存する。コアセルベート系及びこれらパラメーターの効果は既に研究されている。例えば、J.Caellesら，Anionic and Cationic Compounds in Mixed Systems (混合系のアニオン及びカチオン系化合物),Cosmetics  Toiletries,Vol.106,April 1991,pp.49-54、.J.van Oss,Coacervation,Complex-Coacervation and Flocculation (コアセルベーション、複合コアセルベーション及び凝集),J.Dispersion Science and Technology,Vol.9(5,6),1988-89,pp.561-573及びD.J.Burgess, Practical Analysis of Complex Coacervate Systems (複合コアセルベート系の実地分析),J.of Colloid and Interface Science,Vol.140,No.1,November 1990,pp.227-238参照。
　
カチオン系ポリマーがシャンプー中でコアセルベート相として存在するか、あるいはシャンプーをヘアに適用するか又はそれからリンスするとコアセルベート相を形成することが、特に有利であると考えられる。コアセルベートは更に容易にヘア上に沈着すると考えられる。このため、一般的に、カチオン系ポリマーはシャンプー中でコアセルベート相として存在するか、又は希釈でコアセルベート相を形成することが好ましい
　コアセルベートの形成の分析に関する技術は当業界で公知である。例えば、シャンプー組成物の顕微鏡分析は、いかなる選択された希釈段階においても、コアセルベート相が形成されたかどうかを確認するために利用できる。このようなコアセルベート相は組成物中で追加乳化相として確認できる。色素の使用は、組成物中に分散された他の不溶性相からコアセルベート相を区別する上で役立つ。
　例示コアセルベートシャンプー組成物は例で示されている。多くの他のカチオン系ポリマーも、シャンプー組成物の他のパラメーターに依存して、当業者により理解されるように、コアセルベートを形成することができる。」（第３５頁２５行〜３７頁５行参照）
　
４．対比、判断
　引用例１には、上記「３．」の［引用例１］の摘示（1-i）からみて、「シャンプーの泡立ちの改善及び泡の安定化、洗髪時及びシャンプーを洗い流した後の毛髪のすべり感の向上及び櫛通し性の向上、乾燥後の毛髪の櫛通し性の改善及びつやの向上」を得るために、アクリル酸・塩化メタクリルプロピルトリメチルアンモニウム・メチルアクリレート共重合体［Ａ］（INCI名Polyquaternium−４７）をコンデイショニングポリマーとして含むシャンプーについての発明が開示されている。
　そして、そのシャンプーについては、「通常シャンプーの原料として使用されるアニオン性界面活性剤、両性界面活性剤、非イオン性界面活性剤、陽イオン界面活性剤、シリコーン及びシリコーン誘導体、防腐剤、精製水及び香料などにより構成される」こと、「アクリル酸・塩化メタクリルプロピルトリメチルアンモニウム・メチルアクリレート共重合体と他のコンディショニングポリマーも併用されることがある」ことが説明されていて（摘示（1-ii）参照）、その具体例として、例えば実施例１〜３などが例示されている（摘示（1-iii）参照）。
　
　そうすると、引用例１には、洗髪時とシャンプー洗い流し後と乾燥後における櫛通し性を改善した次の発明（以下、「引用例１発明」という。）が開示されていると認めることができる。
＜引用例１発明＞
　「アニオン性界面活性剤、両性界面活性剤、非イオン性界面活性剤、陽イオン界面活性剤、シリコーン及びシリコーン誘導体、防腐剤、精製水及び香料などにより構成されるシャンプーにおいて、
　アクリル酸・塩化メタクリルプロピルトリメチルアンモニウム・メチルアクリレート共重合体［Ａ］（INCI名Polyquaternium−４７）をコンデイショニングポリマーとして配合したシャンプー。」
　
　そこで、本願発明と引用例１発明を対比する。
　（ア）引用例１発明の「シャンプー」は、コンディショニングポリマー（アクリル酸・塩化メタクリルプロピルトリメチルアンモニウム・メチルアクリレート共重合体，Polyquaternium−４７）を配合していることを勘案すると、コンデイショニング作用を有することが明らかであるから、本願発明の「ヘアコンディショニングシャンプー組成物」に相当する。
　なお、引用例１発明の実施例１〜３には、全て前記アクリル酸・塩化メタクリルプロピルトリメチルアンモニウム・メチルアクリレート共重合体（即ちコンディショニングポリマー）が配合されていることを指摘しておく。
　
　（イ）引用例１発明の「アニオン性界面活性剤、両性界面活性剤、非イオン性界面活性剤、陽イオン界面活性剤」、「シリコーン及びシリコーン誘導体」を含有することは、本願発明の（ａ）成分の「陰イオン性界面活性剤および両性界面活性剤から成る群から選択される、・・界面活性剤成分」と、（ｂ）成分の「分散された水不溶性非イオン性シリコーンヘアコンディショニング剤」とに対応するものであり、「陰イオン性界面活性剤および両性界面活性剤から成る群から選択される、・・界面活性剤成分」と「水不溶性非イオン性シリコーン」で共通する。
　
　ところで、本願発明では「陰イオン性界面活性剤および両性界面活性剤から成る群から選択される、・・界面活性剤成分」とされていることから、それら以外の界面活性剤を含有しないようにも解される可能性はあるが、本願発明では（ａ）〜（ｄ）の成分を「包含し」とされているように、それらの成分を含有すれば足りるものであって、他の成分を除外するものではないし、また、本願の発明の詳細な説明を検討すると、例えば陽イオン界面活性剤も使用できるとされている（段落【００４５】参照）し、非イオン性界面活性剤も使用されうるとされている（段落【００４６】参照）のであるから、引用例１発明においてそのような界面活性剤が含有されているとしても、その点で相違があるということはできない。
　また、引用例１では防腐剤や香料も記載されているが、本願発明では（ａ）〜（ｄ）の成分を含有すれば足りるものであって、他の成分を除外するものではないし、本願の発明の詳細な説明を検討すると、任意成分として防腐剤や香料を包含できるとされている（段落【００８４】参照）ことから、その点でも相違があるということはできない。そもそも、引用例１発明において、シャンプーに含有される成分は例示されているにすぎず、その実施例１〜３を検討しても、例えば防腐剤や香料の配合は示されていないように、使用すべき成分として限定されているものでないことが明らかである。
　一方、引用例１の実施例１〜３には、例えばエデト酸ナトリム（注：エチレンジアミン四酢酸ナトリウム）やクエン酸ナトリウムのように説明されていない成分も配合されているが、それらも本願発明における任意成分として例示されているものである（段落【００８４】参照）ように任意に配合できるものであって、その点で相違があるということはできない。
　かように、引用例１における説明や実施例１〜３において、本願発明で特定されていない成分が記載され、配合されているとしても、その点で相違があると言うことはできない。
　
　（ウ）本願発明に用いる両性高分子ヘアコンディショニング剤（（ｃ）成分に相当）の特に好ましい例として、「（１）約４５モル％ＭＡＰＴＡＣ、約４５モル％アクリル酸、および約１０モル％のメチルアクリレートから構成される高分子、および（２）約３０モル％のＤＭＤＡＡＣ、約３５モル％のアクリル酸、および約３５モル％のアクリルアミドから構成される高分子が挙げられる。これらの高分子は、それぞれ、メルクアット２００１（ＭＥＲＱＵＡＴ２００１）およびメルクアットプラス３３３０（ＭＥＲＱＵＡＴｐｌｕｓ３３３０）としてカルゴンコーポレーション（Ｃａｌｇｏｎ  Ｃｏｒｐｏｒａｔｉｏｎ）から入手可能である。」（本願明細書段落【００３１】）と説明されている。
　そして、「ＭＡＰＴＡＣ」は段落【００２６】において、「メタクリルアミドプロピルトリメチルアンモニウムクロリド」の略号として説明されていることから、前者の（１）のメルクアット２００１（ＭＥＲＱＵＡＴ２００１）は、本願発明での（Ａ）４５モル％（ＭＡＰＴＡＣ）、（Ｂ）４５モル％（アクリル酸）、（Ｃ）１０モル％（メチルアクリレート）に該当し、且つ（Ａ）：（Ｂ）のモル比が１：１となるから、当然に本願発明で特定されている（ｃ）水溶性有機両性高分子ヘアコンディショニング剤の条件を満たしている。
　更に、メルクアット２００１は、実施例１において、INCI名「ポリプアテニウム−４７」とされているが原文（本願の国際出願の明細書）によれば「Polyquaternium−４７」であることに鑑み、「Polyquaternium−４７」ということができる。また、「Polyquaternium−４７」は、その化学構造（例えば摘示（1-i）の化学構造式［Ａ］を参照）からみて、ＣＯＯ−とＮ＋を有しているので、両性であることは明白である。
　そうすると、引用例１発明の「アクリル酸・塩化メタクリルプロピルトリメチルアンモニウム・メチルアクリレート共重合体［Ａ］（INCI名Polyquaternium−４７）」は、本願発明の「水溶性有機両性高分子ヘアコンディショニング剤」であって、「（Ａ）１モル％から９９モル％までのメタクリルアミドプロピルトリメチルアンモニウムクロリド、（Ｂ）１モル％から９９モル％までのアクリル酸、および、（Ｃ）１モル％から４０モル％までの（メタ）アクリル酸エステルから構成され、前記両性高分子ヘアコンディショニング剤中の（Ａ）：（Ｂ）のモル比が、２５：７５から７５：２５までの範囲にあり」との条件に合致するものであり、本願の実施例で用いられているそのメルクアット２００１（ＭＥＲＱＵＡＴ２００１）がPolyquaternium−４７に他ならないことを勘案すると、両者は水溶性有機両性高分子ヘアコンディショニング剤である「Polyquaternium−４７」で共通する。
　なお、引用例１の「塩化メタクリルプロピルトリメチルアンモニウム」と本願発明の「メタクリルアミドプロピルトリメチルアンモニウムクロリド」は、いずれも、引用例１で示されている構造式［Ａ］の真ん中に示されているモノマー成分であることが明らかであり、単に表現が異なっているに過ぎず同一のモノマーである。
　
　（エ）引用例１発明の「精製水」を含有することは、その実施例１〜３における「精製水を加えて１００．０とする。」（摘示（1-iii）参照）との記載に鑑みれば、キャリアー即ち担体と解するのが相当であることから、本願発明の「（ｄ）水性担体」に相当する。
　
　してみると、両発明は、
　「（ａ）陰イオン性界面活性剤および両性界面活性剤から成る群から選択される界面活性剤成分；
　（ｂ）水不溶性非イオン性シリコーン；
　（ｃ）（Ａ）１モル％から９９モル％までのメタクリルアミドプロピルトリメチルアンモニウムクロリド、（Ｂ）１モル％から９９モル％までのアクリル酸、および、（Ｃ）１モル％から４０モル％までの（メタ）アクリル酸エステルから構成され、前記両性高分子ヘアコンディショニング剤中の（Ａ）：（Ｂ）のモル比が、２５：７５から７５：２５までの範囲にある水溶性両性高分子ヘアコンディショニング剤に合致するPolyquaternium−４７；および
　（ｄ）水性担体
を包含するヘアコンディショニングシャンプー組成物。」
で一致し、次の点で一応相違している。
＜相違点＞
　Ａ．（ａ）成分について、（Ａ１）その配合量に関し、本願発明では「５重量％から５０重量％まで」と特定されているのに対し、引用例１発明ではそのような表現では特定されていない点、及び、（Ａ２）その選択肢である陰イオン性界面活性剤について、本願発明では、「ラウリルスルフェート、ラウリルエーテルスルフェート、オレフィンスルホネート、ならびにそれらのアンモニウム、ナトリウムおよびアミン塩から成る群から選択され」と特定されているのに対し、引用例１発明ではそのような表現での特定がなされていない点
　Ｂ．（ｂ）成分の水不溶性非イオン性シリコーンについて、本願発明では、「０．０５重量％から１０重量％まで」の、「分散された」、「ヘアコンディショニング剤」と特定されているのに対し、引用例１発明ではそのような表現では特定されていない点
　Ｃ．（ｃ）成分について、本願発明では、「０．０５重量％から１０重量％までの水溶性有機両性高分子」と特定されているのに対し、引用例１発明ではそのような表現では特定されていない点
　Ｄ．本願発明では、「前記両性高分子ヘアコンディショニング剤が、シャンプー組成物中に複合体コアセルベート形態で存在するか、または水でシャンプー組成物を希釈すると複合体コアセルベート形態を形成する」と特定されているのに対し、引用例１発明ではそのような言及がされていない点
　
　そこで、これらの相違点について検討する。
（１）相違点Ａについて
　引用例１には、（ａ）成分の配合割合についての一般的な記載はされていない。
　しかし、引用例１の実施例１〜３を検討すると、ベタインはそれが界面活性剤であれば両性界面活性剤に相当することは技術常識であることに鑑み、
実施例１には
実施例２には
実施例３には
　そうすると、本願発明では、両性界面活性剤を選択すれば特定された陰イオン界面活性剤を選択することは任意であると解されることに鑑み、引用例１の実施例１〜３では両性界面活性剤が配合されていることが明白であり、また、同実施例２では陰イオン界面活性剤のオレフィンスルホネートのナトリウム塩も用いられていることから、界面活性剤の種類については実質的な相違点とは言えないし、それらの配合量も「（ａ）成分を５重量％から５０重量％まで」の量が配合されている点で実質的な相違点ではないし、また、少なくとも「（ａ）成分を５重量％から５０重量％まで」の範囲内で用いることは当業者が適宜なし得たことというべきである。
　
（２）相違点Ｂについて
　引用例１には、（ｂ）成分の配合割合についての一般的な記載はされていない。
　しかし、本願発明で特定する「分散された水不溶性非イオン性シリコーンヘアコンディショニング剤」として、ポリアルキルシロキサンやポリアルキルアリールシロキサンが挙げられていて（本願明細書段落【００５３】参照）、例えばポリジメチルシロキサンやポリメチルフェニルシロキサンが挙げられている（同書段落【００５４】〜【００５５】参照）ことを勘案し、引用例１の実施例１〜３を検討すると、
実施例１には
実施例２には
実施例３には
　ところで、引用例１には、「分散された」との言及はないが、水媒体を用いていると解される（前述の（エ）参照）ことに鑑み、常識的にみて非親水性のシリコーンは水に分散された状態であると理解することができる。
　そうすると、相違点Ｂは実質的な相違点ではないし、また、（ｂ）成分を０．０５重量％から１０重量％までの範囲内で採用することは当業者が適宜なし得たことというべきである。
　
（３）相違点Ｃについて
　引用例１には、（ｃ）成分の配合割合についての一般的な記載はされていない。
　しかし、引用例１の実施例１〜３を検討すると、Polyquaternium−４７とは明示されていないが、
実施例１
実施例２
実施例３
　ところで、同じPolyquaternium−４７を用いるのであるから、明示的記載はなくとも、水溶性有機両性高分子である点に相違があるわけではない。
　そうすると、相違点Ｃは実質的な相違点ではないし、また、（ｃ）成分を０．０５重量％から１０重量％までの範囲内で採用することは当業者が適宜なし得たことというべきである。
　
（４）相違点Ｄについて
　引用例１には、「複合体コアセルベート形態」について言及されていない。
　そこで、「複合体コアセルベート形態」を本願発明ではどのように形成するのかについて検討すると、数件の文献の提示とともに「コアセルベート形成は、分子量、濃度、および相互作用するイオン性材料の比、イオン強度（例えば塩の添加によるイオン強度の修飾を含む）、陽イオン性および陰イオン性種の荷電密度、ｐＨおよび温度のような多様な条件による。」（本願明細書段落【００３３】参照）とされているが、具体的に本願発明の場合にどのような条件を採用すべきかについて何も説明はないし、また、実施例において「複合体コアセルベート形態」が形成され乃至は水で希釈して形成することは、記載すらされておらず不明であるし、釈明するデータすら提示されていない。
　そうであるから、相違点Ｄに関する以外の本願発明の発明特定事項（成分（ａ）〜（ｄ）の特定とそれらの配合割合）を満たせば、「複合体コアセルベート形態」となり得るものと解する他ないし、さらに、本願実施例で提示しているような櫛通りのよさは、引用例１でも明示されている作用効果にすぎないものである（摘示（1-i）参照）ことから、目的・作用効果の点からみても両発明の間に差異はないといえる。
　したがって、相違点Ｄは実質的な相違点であると解することはできない。
　
　仮に、相違点でないと断じないとしたところで、引用例２，３には、「ヘアコンディショニングシャンプー組成物において、シャンプー中でコアセルベート相として存在するかあるいはシャンプーをヘアに適用するかまたはそれから洗い落とすとコアセルベート相を形成することが特に有利である」ことや「複合コアセルベートは更に容易にヘア上に沈着すると考えられる」ことが説明されている（摘示（2-ii）、（3-ii）参照）ことを勘案すると、当業者であれば、引用例１発明において、「前記両性高分子ヘアコンディショニング剤が、シャンプー組成物中に複合体コアセルベート形態で存在するか、または水でシャンプー組成物を希釈すると複合体コアセルベート形態を形成する」ような形態を採用することは、容易に想到し得たものと言える。
　ところで、引用例２，３におけるコアセルベーションが、仮にカチオン性ポリマーの存在を前提とするものであると解したとしても、有機両性高分子は、カチオン性の部分も有し一種のカチオン性高分子と解することもできることから、前述の容易想到性に影響を与えるものではない。なお、例えば特表２０００−５１３３７９号公報（当審拒絶理由において、特許法第２９条の２の先願として引用した文献である。公知文献ではないが、事実を指摘するために援用する）において、「他の適当な
カチオン性ポリマーは
両性ターポリマーである
Polyquaternium４７
　また、記載不備として、「成分（ａ）〜（ｄ）の特定とそれらの配合割合以外のどのような条件（発明特定事項）の場合に、コアセルベート形態となり、その条件（発明特定事項）を満たさない場合にコアセルベート形態となり得ないのか不明である旨の拒絶理由（３６条４項違反）を当審で通知しているところ、請求人からは、単に上記のとおり各種条件（本願明細書段落【００３３】）により「複合体コアセルベート形態」になる場合とならない場合がある旨の主張があるだけ（平成２５年１月４日付け意見書を参照）であることや前述の段落【００３３】の記載を参酌すると、当業者であれば適宜それらの条件を決めることができるものと解する他はなく、その点に格別の困難性を伴うものとは言えない。
　よって、相違点Ｄに係る発明特定事項の「前記両性高分子ヘアコンディショニング剤が、シャンプー組成物中に複合体コアセルベート形態で存在するか、または水でシャンプー組成物を希釈すると複合体コアセルベート形態を形成する」ことは、当業者が容易に想到し得たものである。
　
（５）作用効果について　
　　引用例１には、Polyquaternium−４７、即ちアクリル酸・塩化メタクリルプロピルトリメチルアンモニウム（即ちメタクリルアミドプロピルトリメチルアンモニウムクロリド）・メチルアクリレート共重合体）をシャンプーに配合することにより、「シャンプーの泡立ち改善及び泡の安定化、洗髪時及びシャンプーを洗い流した後の毛髪のすべり感の向上及び櫛通し性の向上、乾燥後の毛髪の櫛通し性の改善及びつやの向上が得られる。」との作用効果が説明されている（摘示（1-i）参照）。かかる作用効果は、本願発明において実施例１〜３（実施例２，３は比較例）によりデータ（本願明細書段落【０１０５】〜【０１０７】の実施例４参照）で示されている湿潤毛髪髪コームについて評価した「素晴らしい湿潤コーム特性」（同書段落【００９７】）と軌を一にするものであり、本願発明が格別予想外の作用効果を奏しているとは認められない。
　また、「複合コアセルベート」形態を作用することによる利点も前述の（４）で指摘したおりであり、その点でも格別予想外であると解すべき理由もない。
　
（６）まとめ
　以上のとおりであり、本願発明は、引用例１に記載された発明と認められ、また、引用例２，３に記載された技術事項を勘案し引用例１発明に基づいて当業者が容易に想到し得たものと認められる。　
　
５．むすび
　以上のとおりであるから、本願発明は、特許法第２９条第１項第３号の規定に該当し、また、同法第２９条第２項の規定により、特許を受けることができない。
　したがって、本願は、その余の請求項について論及するまでもなく拒絶すべきものである。
　
　よって、結論のとおり審決する。